(57)【特許請求の範囲】
【請求項１】
人の存在を検知するセンサーと、
前記センサーが人の存在を検知する位置へ空気を流通させて前記センサーの位置を示す空気流通手段と、
帯状のペーパーを巻回してなるロールペーパー体を回転させる回転手段と、
前記回転手段の稼働制御を行う制御手段とを有し、
前記センサーが人を検知すると、前記制御手段により前記回転手段が稼働されて、前記ペーパーを繰り出すペーパー供給装置。
【請求項２】
空気を流通させる空気流通手段と、
人の存在を検知すると前記空気流通手段による空気流通手段のトリガーとして機能する第１のセンサーと、
帯状のペーパーを巻回したロールペーパー体を回転させる回転手段と、
前記空気流通手段の周囲に設置され、人の存在を検知することで前記回転手段を稼働させるための第２のセンサーと、
前記第１のセンサーが人を検知すると当該第１のセンサーが人の存在を検知している間、前記第２のセンサーが人の存在を検知する位置へ前記空気流通手段により空気を吹き出させて前記第２のセンサーの位置を示し、前記第２のセンサーが人を検知すると、前記回転手段により前記ロールペーパー体を回転させる制御を実施する制御手段と、を有するペーパー供給装置。
【請求項３】
前記第２のセンサーは、ペーパーホルダーの使用者が手をかざせる位置に配置されていることを特徴とする請求項２に記載のペーパー供給装置。
【請求項４】
前記空気流通手段が、羽根車と、前記羽根車を回転させるモータとを有し、前記羽根車を正回転させることで、前記ペーパーの先端をペーパー排出口に向けて案内するペーパー案内路に空気の流通を生じさせ、前記羽根車を逆回転させることで、前記センサーが人の存在を検知する位置へ空気を流通させる請求項１〜３の何れか１項に記載のペーパー供給装置。
【発明の詳細な説明】
【技術分野】
【０００１】
本発明は、ペーパー供給装置に関する。
【背景技術】
【０００２】
眼の不自由な人が例えばトイレで用を足したり洗面所で手洗いをした後、ペーパーホルダーからトイレットペーパーを必要なだけ取り出すのは不自由である。また、必要以上にトイレットペーパーを繰り出してしまう場合や、反対に繰り出し量が少ない場合が想定される。
さらに、眼の不自由な人は、ペーパーホルダーの設置場所を容易に見つけられない場合があり、気づいても必要な量のトイレットペーパーを繰り出せない場合が考えられる。
【先行技術文献】
【特許文献】
【０００３】
【特許文献１】特開２００４−６５６０４号公報
【発明の概要】
【発明が解決しようとする課題】
【０００４】
本発明は、上記事情に鑑みて発明されたものであって、その解決しようとする課題は、少なくとも眼の不自由な人が、ペーパーホルダー等のペーパー供給装置の位置を簡単に見つけることができ、かつペーパーを多くも少なくもなく必要なだけ手にすることができる技術を提供することにある。
【０００５】
また、ペーパー供給装置に痰など汚物が付着している場合も考えられるが、ペーパー供給装置を利用する場合に眼の不自由な人は当該汚物に触れてしまうこともあり得る。
【課題を解決するための手段】
【０００６】
そこで、本発明のペーパー供給装置は、上記課題を解決するために以下の手段を採用した。
すなわち、本発明のペーパー供給装置は、空気を流通させる空気流通手段と、この空気流通手段の内部又はその周囲に設置され、人の存在を検知するセンサー（ノータッチセンサー）と、帯状のペーパーを巻回してなるロールペーパー体を回転させる回転手段と、前記回転手段の稼働制御を行う制御手段とを有し、前記空気流通手段による流通空気を手がかりにペーパ使用者が実施した動作に基づいて前記センサー（ノータッチセンサー）が人を検知すると、前記制御手段により前記回転手段が稼働されて、前記ペーパーを繰り出すことを特徴とする。
【０００７】
本発明のペーパー供給装置は、このような構成であるから、空気流通手段による空気の流通を例えば手で感じることを手掛かりに、すなわち吹き出す風に手をかざしたり、吸い込まれる空気に手をかざしたりすることで、空気流通手段の内部又はその周囲に設置されているセンサーの設置場所がどこにあるかを容易に察知することができる。また、風の吹き出す音や空気を吸い込む音を聞いたりすることで、センサーの設置場所がどこにあるかを察知することもできる。
【発明の効果】
【０００８】
したがって、本発明のペーパー供給装置によれば、眼の不自由な人が、手探りでペーパーを求める必要がない。このため、眼の不自由な人でもペーパーを迅速にすることができる。また、トイレ使用者や清掃者は、空気に触れてもペーパー供給装置自体に触れること
がないので、ペーパー供給装置に痰など汚物が付着していても、当該汚物に触れることを回避できるため、衛生的である。
【図面の簡単な説明】
【０００９】
【図１】本発明に係るトイレットペーパーホルダーをトイレに取り付けた状態を示す斜視図である。
【図２】本発明に係るトイレットペーパーホルダーの覆面カバー体を取り外した状態の斜視図である。
【図３】図２の正面側から見た図である。
【図４】図３の一部切り欠き正面図である。
【図５】図２の一部省略縦断面図である。
【図６】図５の要部拡大図である。
【図７】トイレットペーパーの交換動作を説明するための図であり、直近で使用されていたトイレットペーパーが使用済みになった直後の状態を示す正面図と縦断面図とを並列して示す図である。
【図８】図７の斜視図である。
【図９】図７に連続する図でトイレットペーパーを使い切った直後に使用ロールペーパー固定用ソレノイドが作動し始めた状態を正面図と縦断面図とで並列して示す図である。
【図１０】図９に連続する図で芯収納ボックスにトイレットペーパーの芯が落下している状態を正面図と縦断面図とで並列して示す図である。
【図１１】図１０に連続する図で芯収納ボックスにトイレットペーパーの芯が収納され、それに合わせて予備ロールペーパーが使用ロールペーパーとして供給される直前の状態を正面図と縦断面図とで並列して示す図である。
【図１２】図１１の斜視図である。
【図１３】図１１に連続する図で予備ロールペーパーが使用ロールペーパーとして供給された直後の状態を正面図と縦断面図とで並列して示す図である。
【図１４】図１３に連続する図で上段に位置する予備ロールペーパーが下段の予備ロールペーパーとして供給された直後の状態を正面図と縦断面図とで並列して示す図である。
【図１５】図１４の斜視図である。
【図１６】トイレットペーパーの繰り出し状態を示す最初の図であって、ペーパーの先端部分にスクレーパが掛かっている状態を示す図である。
【図１７】図１６に連続する図であって、ペーパーが繰り出される初期段階を示す図である。
【図１８】図１７に連続する図であって、ペーパーが、ペーパー切断カッターに至る直前状態を示す図である。
【図１９】図１８に連続する図であって、ペーパーが、ペーパー切断カッターを通過し、ペーパー受け皿にペーパーが送り出される手前の状態を示す図である。
【図２０】図１９に連続する図であって、ペーパー受け皿にペーパーが送り出されペーパーの先端がペーパー受け皿の先端に接触した状態を示す図である。
【図２１】図２０に連続する図であって、ペーパー受け皿にペーパーが送り出された後、ペーパー受け皿上でペーパーが折り畳まれる直前の状態を示す図である。
【図２２】図２１に連続する図であって、ペーパーが、ペーパー受け皿上で折り畳まれる初期状態を示す図である。
【図２３】図２２に連続する図であって、ペーパーが、ペーパー受け皿上で折り畳まれる中途状態を示す図である。
【図２４】図２３に連続する図であって、ペーパーが、ペーパー受け皿上で１回折り畳まれ、折り返しを繰り返す図である。
【図２５】図２４に連続する図であって、所定回数の折り返しを繰り返した後、ペーパー切断カッターにより、ペーパーが切断される状態を示す図である。
【図２６】ペーパー受け皿の斜視図である。
【図２７】制御装置によって制御される部材のシステム構成図である。
【図２８】トイレットペーパーホルダーの使用手順を示すフローチャートである。
【発明を実施するための形態】
【００１０】
以下、この発明を実施するための形態（以下、実施形態）を実施例に基づいて例示的に説明する。但し、この実施例に記載されている構成部品の寸法、材質、形状その相対配置などは、特に特定的に記載がない限りは、この発明の範囲をそれらに限定する趣旨ではない。
【００１１】
図１は、本発明のペーパー供給装置をトイレに適用したものである。  
図１に示されるペーパーホルダー以下、ホルダー１は、その外形状が、上下方向に長い直方体の両端面を流線型にカットした如き変形直方体形状をしている。
【００１２】
この明細書で上下とは、図１において、ホルダー１に正対した場合の上側及び下側をいい、同じく左右とは、図１に正対した場合の左側及び右側をいう。また、前後とは、図１に正対した場合の手前側及び向こう側をいう。
【００１３】
ホルダー１は、長方形状をしたベース板２と、このベース板２に載置されたトイレットペーパーホルダー本体３（以下、ホルダー本体３という。）と、所定量のペーパーが重なり合って（折り畳まれて）排出されるペーパー受け皿４と、ペーパー受け皿４以外を覆う例えば金属製の覆面カバー体５とからなる。覆面カバー体５自体が流線型を呈していることで、ホルダー１が流線型をしているともいえる。覆面カバー体５は、ホルダー本体３に対して施錠されるようになっており、作業者だけが開閉できる。
【００１４】
ベース板２は、抗菌加工された金属又は合成樹脂を加工した板材で、トイレの壁面に図示しない螺合手段や係合手段などで固定される。
ホルダー本体３は、図示しない着脱手段によってベース板２に取り付けられる本体カバー７（図３参照）を有し、当該本体カバー７には、ホルダー本体３を構成する各種部材が組み込まれる。
【００１５】
本体カバー７は、上方に開口した間仕切りのない中空四角柱形状をしている。そして、その上半部が予備のトイレットペーパー（以下、「予備ロールペーパーＴｓ」という。）が収納される予備ロールペーパー収納域Ｉとされ、予備ロールペーパー収納域Ｉの直下には、使用可能状態に置かれているトイレットペーパー（以下、「使用ロールペーパーＴｕ」という。）を受ける使用ロールペーパー収納域ＩＩとされている（図３，５参照）。また、使用ロールペーパー収納域ＩＩの直下は、使用済みのトイレットペーパーの芯８を収集する有底の芯収納ボックス９とされている（例えば図５，８参照）。
【００１６】
すなわち、予備ロールペーパー収納域Ｉと、使用ロールペーパー収納域ＩＩと、芯収納ボックス９とが鉛直方向に延びる同一軸線上に配列されている（図５参照）。
そして、予備ロールペーパー収納域Ｉと使用ロールペーパー収納域ＩＩに収納されるトイレットペーパーも、上記同一軸線上に配置される。
【００１７】
本体カバー７のうち、予備ロールペーパー収納域Ｉは、トイレットペーパーを横倒し状態で３個分、上下に積み重ねて最上位のトイレットペーパーが幾分はみ出す程度に収納できる容量を有する。予備ロールペーパーＴｓは、本体カバー７の前記開口からトイレ作業者により供給される。なお、予備ロールペーパーＴｓを予備ロールペーパー収納域Ｉに収納するときの向きは一定であり、当該収納をしたときに予備ロールペーパーＴｓの先端が
後方にある状態において、当該先端が下向きの状態で収納される（図５、１６等参照）。
【００１８】
また、予備ロールペーパー収納域Ｉに予備ロールペーパーＴｓを横にして入れると、重力により予備ロールペーパーＴｓが自然落下するように、本体カバー７の寸法が設定されている。
【００１９】
さらに、予備ロールペーパー収納域Ｉの左右の側壁１１Ｌ・１１Ｒ（図３参照）には、予備ロールペーパー収納域Ｉに収納された３個の横倒しにされた予備ロールペーパーＴｓのうち、下から１番目と２番目の予備ロールペーパーＴｓの重力による落下を抑制する落下抑制手段が設けられている。落下抑制手段の具体例としては、予備ロールペーパー繰出し用ソレノイド１０を挙げられる。
【００２０】
予備ロールペーパー繰出し用ソレノイド１０は、使用ロールペーパー収納域ＩＩに予備ロールペーパーＴｓが移送されて使用ロールペーパーＴｕになるまでの間、予備ロールペーパー収納域Ｉに予備ロールペーパーＴｓを一時的に留めておくためのものである。
【００２１】
そして、予備ロールペーパー繰出し用ソレノイド１０が作動することにより、予備ロールペーパー収納域Ｉでの予備ロールペーパーＴｓの落下が抑制される。予備ロールペーパー繰出し用ソレノイド１０は、ホルダー本体３の左右の側壁１１Ｌ・１１Ｒの前縁寄りの箇所にそれぞれ上下方向に離れて二つずつ対となって合計４個取り付けられている（図２、３参照）。これら４つのソレノイド１０の配置は、左右方向では水平軸上において、また上下方向では、垂直軸上において、それぞれトイレットペーパーを１個横倒しにした分の間隔が空けられて配置されている（図２参照）。
【００２２】
予備ロールペーパー収納域Ｉに予備ロールペーパーＴｓを一時的に留めておく間、予備ロールペーパー繰出し用ソレノイド１０のプランジャー１２（以下、「繰出し用プランジャー」という。）が、予備ロールペーパー収納域Ｉ内に向けて突出し、予備ロールペーパーＴｓに対し、その手前側下方寄りで当接をするようになる（図２参照）。これに併せて予備ロールペーパーＴｓの後方側が、ベース板２に当接する。その結果、予備ロールペーパーＴｓが、予備ロールペーパー収納域Ｉから落下することなく一時的に留まる。
【００２３】
繰出し用プランジャー１２を後退させると、予備ロールペーパーＴｓの自然落下による通り抜けが許可される。すると、予備ロールペーパーＴｓが、自然落下により自動的に予備ロールペーパー収納域Ｉから使用ロールペーパー収納域ＩＩに移行するようになる。
【００２４】
使用ロールペーパー収納域ＩＩは、その左側壁１１Ｌの中央に使用ロールペーパー回転用モータ１３が取り付けられている（図２、８等参照）。また、右側壁１１Ｒに使用ロールペーパー固定用ソレノイド１４が、使用ロールペーパー回転用モータ１３と同軸に設置されている。
【００２５】
さらに使用ロールペーパー収納域ＩＩには、後で詳述するペーパー絡み防止用ファン１５の上半部である吹き出し口（ダクト）１６、及び使用ロールペーパーＴｕのストッパー用ローラ１７が設置されている（図２、８等参照）。加えて、使用ロールペーパー収納域ＩＩ内には、使用ロールペーパー収納域ＩＩから繰り出された使用ロールペーパーＴｕをペーパー受け皿４に案内するペーパー案内路１８が形成されている（図５、６等参照）。
【００２６】
使用ロールペーパー回転用モータ１３は、使用ロールペーパー収納域ＩＩに収納されている使用ロールペーパーＴｕを回転可能に支持するための回転手段であり、一定方向にのみ回転する（図２の矢印Ａ参照）。使用ロールペーパーＴｕをゆっくり回転することで、使用ロールペーパーＴｕの芯８に巻き付けられているペーパー（以下「使用ペーパー」と
いう。）を漸次繰り出すようになっている。
【００２７】
芯８にはトイレットペーパーが巻き付けられるので、芯８のことをこの明細書では巻回軸ということにする。また、芯８に巻かれた状態のトイレットペーパーは、ロールペーパー体ということができる。但し、芯無しのトイレットペーパーもロールペーパー体に含めることにする。                        
【００２８】
使用ロールペーパー回転用モータ１３の回転数は、制御装置２０（図１、２７参照）によって自動制御される。自動制御の仕方としては、使用ロールペーパーＴｕの使用が進行するに連れて、その直径が小さくなるため、直径が小さくなるほど、使用ロールペーパー回転用モータ１３の回転数が高くなるように設定してある。
【００２９】
例えば、トイレットペーパーを全く使用してない場合と使い切った場合とでは、トイレットペーパーはその直径で３倍ほどの差がある。このため、単純に計算すれば、使用ロールペーパーＴｕの使い始めと終わりとで、使用ロールペーパー回転用モータ１３の回転数に３倍の差を付け、途中ではその中間の回転数にする。このようにすることで、定常的に使用ロールペーパーＴｕの繰り出し量をほぼ一定にするこことが考えられる。
【００３０】
また、使用ロールペーパー回転用モータ１３のシャフトには、当て板２１が取り付けられており（図２，３等参照）、この当て板２１は、トイレットペーパーの芯８部分に宛がわれる。芯８の穴径よりも当て板２１の外形の方が大きい。
【００３１】
使用ロールペーパー固定用ソレノイド１４は、使用ロールペーパー回転用モータ１３から、トイレットペーパーを１個横倒しにした分、離隔されている（図２，３等参照）。
【００３２】
使用ロールペーパー固定用ソレノイド１４にもそのプランジャー（以下、「固定用プランジャー１４Ａ」という。）に当て板２１が取り付けられる（図５参照）。なお、符号２２で示すものは、使用ロールペーパー固定用ソレノイド１４の架台である（図２参照）。架台２２は、右側壁１１Ｒに固定されている。
【００３３】
そして、使用ロールペーパー収納域ＩＩに使用ロールペーパーＴｕを留めておく間（使用ロールペーパーＴｕを使い終わる間）、固定用プランジャー１４Ａが、使用ロールペーパー収納域ＩＩ内に向けて突出する。
【００３４】
この結果、固定用プランジャー１４Ａに取り付けられている当て板２１も突出し、使用ロールペーパーＴｕの端面のうち芯８部分に宛がわれる。当て板２１が使用ロールペーパーＴｕの前記端面に宛がわれることで、使用ロールペーパー回転用モータ１３の当て板２１との間で使用ロールペーパーＴｕが挟持される（図１３〜１５参照）。
【００３５】
当該挟持された状態で使用ロールペーパー回転用モータ１３が駆動すると、その回転力は、使用ロールペーパーＴｕに伝達され、使用ロールペーパーＴｕが空回りせずに回転し、ペーパーが繰り出される。よって、使用ロールペーパー回転用モータ１３、その当て板２１、使用ロールペーパー固定用ソレノイド１４、固定用プランジャー１４Ａに取り付けられている当て板２１をトイレットペーパーの供給手段という。なお、使用ロールペーパー回転用モータ１３が駆動しないことにはペーパーの繰り出しはできないので、使用ロールペーパー回転用モータ１３単独でも供給手段ということにする。
【００３６】
なお、この明細書では、固定用プランジャー１４Ａに取り付けられている当て板２１が突出し、使用ロールペーパーＴｕの端面のうち芯８部分に当て板２１が宛がわれることを、”差し”ということにする。逆に当て板２１が、使用ロールペーパーＴｕの端面のうち
芯８部分に宛がわれることをやめる、つまり当て板２１が、使用ロールペーパーＴｕの端面のうち芯８部分から離れることを、”抜き（差しの解除）”ということにする。よって、固定用プランジャー１４Ａ及び当て板２１のことを抜き差し部という。  
【００３７】
使用ロールペーパーＴｕを使い切り、予備ロールペーパーＴｓを使用ロールペーパー収納域ＩＩに移動させるときは、前記抜きを行って、当て板２１が、使用ロールペーパーＴｕの端面のうち芯８部分に宛がわれることをやめる。これにより、使用ロールペーパーＴｕの芯８が芯収納ボックス９内に落下する（図７〜１２参照）。
【００３８】
次に、繰出し用プランジャー１２を後退させ、予備ロールペーパーＴｓの自然落下による通り抜けを許可する（図１０〜１３参照）。その後は、予備ロールペーパーＴｓが、自然落下により順次自動的に使用ロールペーパー収納域ＩＩに移行する（図１４、１５参照）。
【００３９】
ペーパー絡み防止用ファン１５は、使用ロールペーパー収納域ＩＩと、芯収納ボックス９とに跨った状態でかつ両者の手前側に設置されている。そして、ペーパー絡み防止用ファン１５は、ファンカバー１５１内に、図示しない羽根車及びこの羽根車を駆動するモータ（以下、羽根車回転モータ）を有する。
【００４０】
また、ファンカバー１５１は、その上半分が、羽根車の回転によって生じる風を後方に向けて吹き出す吹き出し口１６となっている。さらに、ファンカバー１５１のうち、羽根車の設置箇所と対向する部位には、通風口１５１ａが形成されている。
【００４１】
加えて、覆面カバー体５のうち、通風口１５１ａの形成箇所と対向する箇所には、ホルダー１の内部と外部とを連通する空気穴５１が多数形成されている。羽根車、羽根車回転モータ、通風口１５１ａ及び空気穴５１を空気吹き出し手段という。羽根車回転モータはセンサーに応じて正逆回転する。これについては後述する。
【００４２】
ストッパー用ローラ１７は、予備ロールペーパー繰出し用ソレノイド１０の前記垂直軸上に位置し（図５等参照）、かつ芯収納ボックス９の上方部前面（手前側に位置する面）においてホルダー本体３の幅方向（左右方向）に延びるローラである。そして、ストッパー用ローラ１７は、その両端から左右に突出する回転軸によりホルダー本体３の左右の側壁１１Ｌ・１１Ｒに回転自在に支持されている。
【００４３】
ストッパー用ローラ１７が使用ロールペーパーＴｕを受け止めた地点で、使用ロールペーパー回転用モータ１３及び使用ロールペーパー固定用ソレノイド１４に対して、使用ロールペーパーＴｕが位置決めされる。すなわち、使用ロールペーパーＴｕが、使用ロールペーパー収納域ＩＩに位置し、これを使用できる状態になる。
【００４４】
また、使用ロールペーパー収納域ＩＩにある既述したペーパー案内路１８は、ペーパー絡み防止用ファン１５の吹き出し口１６から続いており、使用ロールペーパーＴｕの上半分の外形状に沿って形成され、かつその後ペーパー受け皿４に向けてまっすぐに下方へ向けて伸びる扁平な中空領域である。側方から見た形状は疑問符（？）に似ている（図５、１８等参照）。但し、ペーパー案内路１８の形状は、これに限定されるものではない。例えば、実質的にペーパーが案内を開始される箇所を基端としてそこから下方にまっすぐ伸びる扁平矩形な中空領域であってもよい。
【００４５】
ペーパー案内路１８の途中には、ペーパーカット用ソレノイド２３と、当該ソレノイドのプランジャー２３Ａの先端に取り付けられたペーパー切断カッター２４と、ペーパー切断カッター２４と組み合わせて設けられるカッター受け台２５とを有する。カッター受け
台２５には、カッターの刃を受ける受け刃溝２６が形成されている（図５、１８等参照）。なお、ペーパー切断カッター２４と、カッター受け台２５とを前後方向において入れ替えて設置してもよい。                                    
【００４６】
ペーパー案内路１８に対してこれを横断するように窓枠２７が設置されている（図１６参照）、当該窓枠２７にペーパー切断カッター２４とカッター受け台２５とが、対向状態で取り付けられている。さらにペーパー案内路１８の先端は、ペーパー受け皿４と連結されている。
【００４７】
ペーパーカット用ソレノイド２３のプランジャー２３Ａが延びる（後方に移動する）とペーパー切断カッター２４がカッター受け台２５に当接する。反対に、プランジャー２３Ａが後退する（前方に移動する）とペーパー切断カッター２４はカッター受け台２５から離れる。
【００４８】
ペーパー切断カッター２４がカッター受け台２５から離れた状態で、使用ロールペーパーＴｕの使用ペーパーが、ペーパー切断カッター２４とカッター受け台２５との間に入り込む。そして、今度はその状態からペーパー切断カッター２４をカッター受け台２５に対して進行させる。すると、使用ペーパーは、ペーパー切断カッター２４と受け刃溝２６とによって押圧されて切断される（図２５参照）。よって、ペーパー切断カッター２４及び、受け刃溝２６を含むカッター受け台２５を切断手段ということができる。
【００４９】
芯収納ボックス９は、上方に開口されて当該開口経由で使用済みの芯８を受ける箱体である。また、芯収納ボックス９の手前側には、ペーパー絡み防止用ファン１５のファン本体１５Ａが対面するように設置されている。さらに、芯収納ボックス９の後面（向こう側に位置する面）には、使用ロールペーパーＴｕの先端を剥がすためのスクレーパ２８（掻器）が形成されている（図５、６，７等参照）。
【００５０】
スクレーパ２８は、既述したストッパー用ローラ１７と共に、予備ロールペーパーＴｓが使用ロールペーパー収納域ＩＩに自然落下した際に、当該予備ロールペーパーＴｓを受け止める。
【００５１】
さらに、図５、６、１６等に示すようにスクレーパ２８は、使用ロールペーパーＴｕが使用ロールペーパー収納域ＩＩにセッティングされた状態において、当該ロールペーパーＴｕの外周面に下方から後方に回り込んで当接をするように、芯収納ボックス９の後方外側に向けて湾曲形成されている。
【００５２】
加えて、ベース板２と覆面カバー体５とで画成される空間部には、制御装置２０が配置されている（図１参照）。
また、覆面カバー体５の下部曲面箇所にはノータッチセンサー（第２のセンサー）２９が取り付けられている（図１、２、５参照）。
【００５３】
ノータッチセンサー２９は、制御装置２０と電気的に接続されており（図２７参照）、ノータッチセンサー２９にトイレ使用者が手をかざすことにより、制御装置２０に対し、トイレットペーパーの供給開始信号を出力するスイッチ部として機能する。
【００５４】
ノータッチセンサー２９は、人の存在を検知することが可能なセンサーであれば特に限定されるものではなく種々考えられる。例えば、照射した不可視光線の反射により物体を検知する近赤外線反射式センサー、人や物体の微弱な熱エネルギーをキャッチする受動式センサーである熱線（遠赤外線）式センサー、照射したマイクロ波（電波）の反射により物体を検知するマイクロ波ドップラー式センサー、複数の検知原理を採用してそれぞれの
長所を活かしたセンサーであるハイブリッド（複合）式センサーなどを挙げられる。
【００５５】
さらに、図１に示す洋式トイレの便座には、使用者の着座を検知する着座センサー（第１のセンサー）４４０が設置されている。着座センサー４４０も人の存在を検知するセンサーであり、使用者が便座に着座すると、トイレ使用のための開始信号を発信する。着座センサー４４０にもノータッチセンサー２９と同様、近赤外線反射式センサーその他のセンサーが使用される。着座センサー４４０も制御装置２０と電気的に接続されており、制御装置２０は着座センサー４４０からの開始信号を受信する（図２７参照）。
【００５６】
着座センサー４４０がトイレ使用の開始信号を発信し、制御装置２０が当該開始信号を受信すると、すなわち、トイレ使用者が着座して、着座センサー４４０が人の存在を検知すると、検知している間、つまりトイレ使用者が着座している間は、前記空気吹き出し手段の羽根車回転モータによって回転されることにより、ファンカバー１５１の通風口１５１ａ及びホルダー１の空気穴５１を経由して、ペーパーホルダー１の前面から空気が吹き出る。
【００５７】
ペーパー絡み防止用ファン１５におけるファンカバー１５１の通風口１５１ａを経由して、覆面カバー体５の空気穴５１から外部に向けて送風を生じるよう、羽根車回転モータにより羽根車を回転することを羽根車回転モータの逆回転という。そして、当該逆回転と反対方向に羽根車が回転されることを正回転という。正回転により、ファンカバー１５１の通風口１５１ａ及び覆面カバー体５の空気穴５１を経由して、外部から覆面カバー体５内に、外気が吸い込まれるように、羽根車が回転する。
【００５８】
正回転が実施されるのは、ノータッチセンサー２９にトイレ使用者が手をかざした場合である。そして、羽根車をモータで回転するにあたり、ノータッチセンサー２９は、着座センサー４４０に優先する。つまり、トイレ使用者が便座に座っているだけで未だノータッチセンサー２９に手をかざしていないときは、着座センサー４４０が機能して羽根車が逆回転するけれども、その状態でトイレ使用者がノータッチ操作用センサー２９に手をかざすと、羽根車は停止し、その後正回転する。
【００５９】
ノータッチセンサー２９にトイレ使用者が手をかざすことで、羽根車が正回転している間、使用ロールペーパー回転用モータ１３も稼働し、使用ロールペーパーＴｕを繰り出す。使用ロールペーパー回転用モータ１３と羽根車回転モータとは連動するようになっている。よって、使用ロールペーパー回転用モータ１３が停止すると、羽根車回転モータも停止する。
【００６０】
なお、図１から明らかなように、ノータッチセンサー２９は、前記空気吹き出し手段の空気穴５１の下方近傍に設置されているので、空気吹き出し手段の周囲に設置されているといえる。
【００６１】
前記制御装置２０は、予備ロールペーパー繰出し用ソレノイド１０、使用ロールペーパー固定用ソレノイド１４の各プランジャーの進退制御、各ソレノイド１０、１４、２３、使用ロールペーパー回転用モータ１３、ペーパー絡み防止用ファン１５、ノータッチセンサー２９、着座センサー４４０、羽根車回転モータを稼働制御する制御手段である（図２７参照）。
【００６２】
ペーパー受け皿４は、その付け根側が基端としてベース板２に固定され、先端側が自由にされた片持ち梁状をしている。そして、このペーパー受け皿４の先端に向けて使用ロールペーパーＴｕから使用ペーパーが繰り出されるようになっている。
【００６３】
またペーパー受け皿４の基端４Ａの直近箇所には、横断面で波形をした突条３０が、ホルダー本体３の幅方向（左右方向）に延在している。突条３０は、その横断面で、波頭にあたる箇所３０Ａが丸く、波頭の湾曲の外側（背中）の部分３０Ｂが内側に湾曲し、波頭の湾曲の内側の部分３０Ｃも内側に湾曲した形状をしている（図１６、２６等参照）。
【００６４】
そして、外側（背中）の部分３０Ｂの曲率半径が内側の部分３０Ｃの曲率半径よりも大きくなっている。さらに、ペーパー受け皿４は、その自由端が内側に折り返されており、使用ペーパーの進行を阻止する（図２４，２５参照）。
【００６５】
換言すると、ペーパー受け皿４は、その前方にある自由端及び基端４Ａ側（後方）にある突条３０により、それぞれ、繰り出されるトイレットペーパーの前方への進行及び後方への進行を阻止する。
【００６６】
次にこのようなホルダー１の動作について、図２８のフローチャートを参照しながら説明する。フローチャートの各ステップにおける判断は、すべて制御装置２０が行うものとする。
【００６７】
制御装置２０は、トイレ使用者が便座に着座したか否か、すなわち、着座センサー４４０が、トイレ使用者の発する赤外線を検知したか否かを判断する（Ｓ１）。肯定判定すればＳ２に進み、否定判定すれば肯定判定するまでこのルーチンを繰り返す。
【００６８】
その後、制御装置２０は、ペーパー絡み防止用ファン１５を逆回転させる（Ｓ２）。ペーパー絡み防止用ファン１５の逆回転により、空気吹き出し手段が機能し、羽根車回転モータによって逆回転された羽根車により生じた送風が、ホルダー１の空気穴５１から吹き出る。よって、着座センサー４４０は、人の存在を検知すると前記空気吹き出し手段による空気吹き出しのトリガーとして機能するといえる。
以上の構成からなるものが、本発明のペーパー供給装置である。
【００６９】
次に制御装置２０は、ノータッチセンサー２９による検知がされたか否か、すなわちノータッチセンサー２９に手がかざされたか否かの判断を行う（Ｓ３）。Ｓ３で肯定判定すればＳ４に進み、否定判定した場合は、本ルーチンを繰り返す。
Ｓ４で制御装置２０は、逆回転していたペーパー絡み防止用ファン１５を停止させる。この結果、Ｓ２で生じていた空気の吹き出しが停止する。
【００７０】
Ｓ５で制御装置２０は、使用ロールペーパー回転用モータ１３を回転するとともに、ペーパー絡み防止用ファン１５を正回転させる。
使用ロールペーパー回転用モータ１３が回転すると、その回転力が当て板２１経由で使用ロールペーパーＴｕの端面に伝わり、使用ロールペーパーＴｕを回転する。使用ロールペーパーＴｕの回転により、使用ロールペーパーＴｕが繰り出される。
【００７１】
繰り出しにあたっての使用ロールペーパー回転用モータ１３の回転数は、既述のように使用ロールペーパーＴｕの現在の使用程度によって異なる。
使用ロールペーパーＴｕが多用された状態（使用ロールペーパーＴｕの残量がわずかな状態）にある場合は、使用ロールペーパーＴｕの直径が小さいため前記回転数は多くなる。反対に、使用の程度が少ない（使用ロールペーパーＴｕの残量が十分にある状態）状態にある場合は、使用ロールペーパーＴｕの直径が大きいため、前記回転数は少なくなる。
【００７２】
このようにすることで、使用ロールペーパーＴｕの繰り出し量をほぼ一定にすることができる。すなわち、トイレットペーパー回転モータ１３の回転数を使用ロールペーパーＴｕの直径の大きさに合わせて、小、中及び大のように段階的に変化させる。
【００７３】
また、使用ロールペーパー回転用モータ１３とペーパー絡み防止用ファン１５とは連動しており、使用ロールペーパー回転用モータ１３が駆動している間は、ペーパー絡み防止用ファン１５も作動し、羽根車は正回転する。そして、そのときに生じる風が、ペーパー案内路１８に送られ、トイレットペーパーの繰り出しに影響する。ペーパー絡み防止用ファン１５は、ペーパー案内路１８に空気の流通を生じさせる空気流通手段である。
【００７４】
制御装置２０は、使用ロールペーパー回転用モータ１３が段階に応じた所定回転をしたか否かを判定する（Ｓ６）。肯定判定したら、使用ロールペーパー回転用モータ１３の駆動を停止する（Ｓ７）。否定判定した場合は、Ｓ３で肯定判定するまで使用ロールペーパー回転用モータ１３を駆動する。  
【００７５】
使用ロールペーパー回転用モータ１３が段階に応じた所定回転をすると、後で述べるようにペーパー受け皿４に使用ペーパーが幾重かに折り重ねられて手頃な厚みになるまで繰り出される（すなわち使用ペーパーの繰り出し量が所定量に達する）。
【００７６】
また、制御装置２０は、使用ロールペーパー回転用モータ１３を停止したら、次にペーパーカット用ソレノイド２３を作動してそのプランジャー２３Ａを突出させ、プランジャー先端に取り付けられたペーパー切断カッター２４をカッター受け台２５に向けて進行させる（Ｓ８）。この結果、使用ロールペーパーＴｕがカットされる。よって、制御装置２０、ペーパーカット用ソレノイド２３は、使用ロールペーパーＴｕの切断手段であるペーパー切断カッター２４を作動させる作動手段ということもできる。
Ｓ８の後は、Ｓ１に戻る。
【００７７】
次に図１６〜図２６を参照して、ペーパー受け皿４に使用ペーパーが幾重かに折り重ねられて手頃な厚みになるまでの経緯を未使用の使用ロールペーパーＴｕが適用される場合について述べる。
【００７８】
使用ロールペーパー回転用モータ１３を駆動し、使用ロールペーパーＴｕを回転させ、スクレーパ２８でトイレットペーパーの先端を掻いて当該先端をトイレットペーパー本体から剥離する。図１６は、スクレーパ２８と使用ロールペーパーＴｕの先端とが当接している状態を示す。
【００７９】
なお、スクレーパ２８と使用ロールペーパーＴｕの先端との位置関係で、使用ロールペーパーＴｕの先端が、使用ロールペーパーＴｕの回転方向においてスクレーパ２８を越えた箇所にあるときは、スクレーパ２８に対し使用ロールペーパーＴｕの先端が当接するまで最大１回転、使用ロールペーパーＴｕを回転させる。
【００８０】
また、使用ロールペーパー回転用モータ１３が回転すると、その回転と同時にペーパー絡み防止用ファン１５が作動する。ペーパー絡み防止用ファン１５が作動すると当該ファンによって送風が生じる（図１７の白矢印参照）。なお図１７はペーパーの先端部分にスクレーパ２８が掛かった図１６に連続する図であり、ペーパーがペーパー絡み防止用ファン１５の送風によって繰り出される初期段階を示す。
【００８１】
なお、使用ペーパーの繰り出しは、自重によるところが大きいが、送風によっても繰り出される。但し、送風の使用ペーパーに及ぼす影響は、送風によって使用ペーパーがペーパー案内路１８に引っ掛かることなく円滑に流通することが主である。
【００８２】
使用ペーパーが一層繰り出され、ペーパー切断カッター２４に至る直前に至る（図１８参照）。
さらに使用ペーパーが繰り出され、ペーパー切断カッター２４を通過し、ペーパー受け皿４に使用ペーパーが送り出される手前の状態になる（図１９参照）。
【００８３】
さらにまた使用ペーパーの送り出しが進行し、ペーパー受け皿４に使用ペーパーが送り出された後、使用ペーパーの先端がペーパー受け皿４の先端に接触する（図２０参照）。
そして、ペーパー受け皿４に使用ペーパーが送り出された後、ペーパー受け皿４上で使用ペーパーが折り畳まれる直前の状態になる（図２１参照）。
【００８４】
加えて、使用ペーパーが、ペーパー受け皿４上で折り畳まれる初期状態に至る（図２２参照）。
さらに使用ペーパーの送り出しが進行し、使用ペーパーが、ペーパー受け皿４上で折り畳まれる中途状態になった後（図２３参照）、使用ペーパーが、ペーパー受け皿４上で１回折り畳まれ、その後上記の経路を経て折り返しを繰り返す（図２４参照）。
【００８５】
換言すると、繰り出されるトイレットペーパーの前方への進行が阻止されると共に後方への進行も阻止され、少なくとも後方にてトイレットペーパーに弛みを形成するようになる。弛みは、突条３０の部分３０Ｃが内側に湾曲した形状をしているので、ペーパー受け皿４の自由端側から部分３０Ｃに向けて折り返して来たペーパーに丸みを与え、その結果弛みが形成される。よって、部分３０Ｃ部を有する突条３０を弛み形成部ということができる。
【００８６】
そして、所定回数の折り返しを終了後、使用ロールペーパー回転用モータ１３がその駆動を停止し、使用ロールペーパーＴｕの繰り出しが終了する。その後は、ペーパーカット用ソレノイド２３が作動し、当該ソレノイドのプランジャー２３Ａの先端に取り付けられたペーパー切断カッター２４により、ペーパーが切断される（図２５参照）。所定回数の折り返しを終了したか否かは、使用ロールペーパー回転用モータ１３が制御装置２０によって、既述のごとく使用ロールペーパーＴｕの使用量（直径の大小）に応じた回転数に達したか否かで実行される。
【００８７】
また、トイレットペーパー回転モータ１３とペーパー絡み防止用ファン１５とは連動しており、トイレットペーパー回転モータ１３が駆動している間は、ペーパー絡み防止用ファン１５の羽根車は正回転する。そして、そのときに生じる風が、ペーパー案内路１８に送られ、トイレットペーパーの繰り出しに影響する。ペーパー絡み防止用ファン１５は、ペーパー案内路１８に空気の流通を生じさせる空気流通手段である。
【００８８】
次に本発明のペーパー供給装置の作用・効果について説明する。
便座には、使用者の着座を検知する着座センサー４４０が設置され、トイレ使用者が便座に着座すると、着座センサー４４０は、トイレ使用のための開始信号を発信する。これにより、制御装置２０は、便座に人が着座していると認識し、羽根車回転モータにより羽根車を逆回転する。するとペーパー絡み防止用ファン１５におけるファンカバー１５１の通風口１５１ａを経由して、覆面カバー体５の空気穴５１から外部に向けて送風を生じる。また、空気吹き出し手段の空気穴５１の下方近傍には、トイレットペーパーを繰り出すためのノータッチセンサー２９が設置されている。
【００８９】
したがって、眼の不自由な人でも空気穴５１から吹き出る風や、ペーパー絡み防止用ファン１５の羽根車が回転するときに生じる音を手がかりにノータッチセンサー２９の設置場所がどこにあるかを容易に察知することができる。
【００９０】
そして、ノータッチセンサー２９の設置場所が判明したら、ノータッチセンサー２９に手をかざすだけで、トイレットペーパーを多くも少なくもなく必要なだけ手にすることが
できる。
【００９１】
また、必要量のトイレットペーパーを一度手にした後は、再度着座センサーによるトイレ使用者の検知が実行されて羽根車が逆回転する。しかし、ノータッチセンサー２９は、着座センサー４４０に優先する。したがって、トイレ使用者が便座に座っているだけで未だノータッチセンサー２９に手をかざしていないときは、着座センサー４４０が機能して羽根車が逆回転する。けれども、その状態でトイレ使用者がノータッチ操作用センサー２９に手をかざすと、羽根車は停止し、その後正回転し、そのときに生じる風が、ペーパー案内路１８に送られ、トイレットペーパーの繰り出しに作用する。
【００９２】
さらに、帯状のペーパーを巻回したロールペーパー体としてトイレットペーパーを例示したが、キッチンペーパタオルその他のロールペーパー体にも本発明のペーパー供給装置を適用できるのは勿論である。
【００９３】
加えて、この実施例では、第１のセンサーとして洋式トイレの便座に着座センサーを用いた場合を例示したが、和式トイレにも適用できる。その場合、第１のセンサーとしては、例えば、トイレ使用者の前面の壁に赤外線センサー等を設けるようにすることが考えられる。
【００９４】
さらに、本実施例では空気吹き出し手段を例示した。しかし、空気の吹き出しでなく空気の吸い込みであってもよい。つまり、空気の吹き出しや吸い込みのできる手段は空気の流通のできるものであるからこれらを空気流通手段という。空気の流通があれば、そこに手をかざすことで、空気流通手段の内部又はその周囲に設置されているセンサーの設置場所を察知することができる。
【００９５】
また、空気流通手段の稼働によって、風の吹き出す音又は空気を吸い込む音を聞くことができるので、当該音によっても、眼の不自由な人がトイレを使用する場合にセンサーの設置場所を察知することができる。
【００９６】
さらに、トイレ使用者や清掃者は、空気に触れてもペーパー供給装置自体に触れることがないので、ペーパー供給装置に痰など汚物が付着していても、当該汚物に触れることを回避できるため、衛生的である。
【符号の説明】
【００９７】
１  トイレットペーパーホルダー
２  ベース板
３  トイレットペーパーホルダー本体
４  ペーパー受け皿
４Ａ  基端
５  覆面カバー体
７  本体カバー
８  トイレットペーパーの芯
９  芯収納ボックス
１０  予備ロールペーパー繰出し用ソレノイド
１１Ｌ  左側壁
１１Ｒ  右側壁
１２  繰出し用プランジャー
１３  トイレットペーパー回転モータ（回転手段）
１４  使用ロールペーパー固定用ソレノイド
１４Ａ  固定用プランジャー
１５  ペーパー絡み防止用ファン
１５Ａ  ファン本体
１６  吹き出し口
１７  ストッパー用ローラ
１８  ペーパー案内路
２０  制御装置（制御手段）                                  
２１  当て板
２２  架台
２３  ペーパーカット用ソレノイド
２３Ａ  プランジャー
２４  ペーパー切断カッター
２５  カッター受け台
２６  受け刃溝
２７  窓枠
２８  スクレーパ
２９  ノータッチセンサー（第２のセンサー）
３０  突条
３０Ａ  突条の所定箇所
３０Ｂ  突条の所定部分
３０Ｃ  突条の所定部分
５１  空気穴（空気吹き出し手段、空気流通手段）
１５１ａ  通風口（空気吹き出し手段、空気流通手段）
４４０  着座センサー（第１のセンサー）
Ｉ  予備ロールペーパー収納域
ＩＩ  使用ロールペーパー収納域
Ｔｓ  予備ロールペーパー（ロールペーパー体）
Ｔｕ  使用ロールペーパー（ロールペーパー体）
【図１】
0005918007.tif 000002
【図２】
0005918007.tif 000003
【図３】
0005918007.tif 000004
【図４】
0005918007.tif 000005
【図５】
0005918007.tif 000006
【図６】
0005918007.tif 000007
【図７】
0005918007.tif 000008
【図８】
0005918007.tif 000009
【図９】
0005918007.tif 000010
【図１０】
0005918007.tif 000011
【図１１】
0005918007.tif 000012
【図１２】
0005918007.tif 000013
【図１３】
0005918007.tif 000014
【図１４】
0005918007.tif 000015
【図１５】
0005918007.tif 000016
【図１６】
0005918007.tif 000017
【図１７】
0005918007.tif 000018
【図１８】
0005918007.tif 000019
【図１９】
0005918007.tif 000020
【図２０】
0005918007.tif 000021
【図２１】
0005918007.tif 000022
【図２２】
0005918007.tif 000023
【図２３】
0005918007.tif 000024
【図２４】
0005918007.tif 000025
【図２５】
0005918007.tif 000026
【図２６】
0005918007.tif 000027
【図２７】
0005918007.tif 000028
【図２８】
0005918007.tif 000029